(57)【要約】【課題】動力により管部材収納機構を駆動して製造の手間及び時間を減らす管部材巻取装置を提供する。【解決手段】管部材巻取装置は、ベース１、固定部２、動力群３及び挟持群４を備える。固定部２は、ベース１の一端に設けられて被固定部に位置決めされる。動力群３は、ベース１上に配置されるとともに、主動輪３１を回転させる。挟持群４は、ベース１に枢着された支持杆４１を有する。支持杆４１上には、主動輪３１に対応した押圧輪４２が配置され、支持杆４１の他端には、スイングアーム４１０が延伸される。スイングアーム４１０の末端には、主動輪３１に対応するように管部材を導入する作動輪３１が配置されている。動力群３には、減速機構３２が取り付けられている。支持杆４１上には、弾性部材５が設けられる。弾性部材５の一端がベース１に固定される。【選択図】図１
0003182981.tif 000002
【実用新案登録請求の範囲】
【請求項１】
ベース、固定部、動力群及び挟持群を備えた管部材巻取装置であって、
前記固定部は、前記ベースの一端に設けられて被固定部に位置決めされ、
前記動力群は、前記ベース上に配置されるとともに、主動輪を回転させ、
前記挟持群は、前記ベースに枢着された支持杆を有し、前記支持杆上には、前記主動輪に対応した押圧輪が配置され、前記支持杆の他端には、スイングアームが延伸され、前記スイングアームの末端には、前記主動輪に対応するように管部材を導入する作動輪が配置されていることを特徴とする、
管部材巻取装置。
【請求項２】
前記動力群には、減速機構が取り付けられていることを特徴とする請求項１に記載の管部材巻取装置。
【請求項３】
前記支持杆上には、弾性部材が設けられ、前記弾性部材の一端が前記ベースに固定されることを特徴とする請求項１に記載の管部材巻取装置。
【考案の詳細な説明】
【技術分野】
【０００１】
本考案は、管部材巻取装置に関し、特に、動力により管部材を巻取るとともに、動力により管部材収納機構を駆動して製造の手間及び時間を減らす管部材巻取装置に関する。
【背景技術】
【０００２】
一般に、農家は農作物に対して定期的に農薬を散布して害虫の発生を防ぐが、耕作面積が小さな農家では、農家自身が小型の噴霧器を背負って農薬を散布する。一方、耕作面積が大きな農家では、散布する農薬を車両に載せて散布することが一般的である。
噴霧管とは、農家が農作物に農薬を散布するために用いる長筒状体であり、大面積の農地に都合よく農薬を散布できるように、長さが数百メートルあるのが一般的である。
【０００３】
農薬の散布が終了した後、噴霧管を巻き取る必要があるが、管内に農薬が残留しているため、農家が手作業で巻き取り作業を行うことは非常に手間及び時間がかかり、管部材を巻き取る過程で多くの時間及び体力が必要であった。
その後、管部材巻取装置により管部材を巻き取るようになったが、その管部材巻取装置は、噴霧管を巻取る巻軸と、巻軸に連結された把持部とからなる。実際に使用する際、把持部を駆動させ、巻軸を回転させて噴霧管を巻取るが、手作業により行うため、作業効率を改善することはできなかった。
【０００４】
人力により巻き取る方式には多くの力が必要であるため、大きな力を加えて噴霧管を引っ張るために、従来技術（例えば、特許文献１）において、開始時の管部材の位置が管部材巻取装置上にあり、動力又は人力により引っ張り出すことができる覆われた方式の構造が開示されている。
しかし、もし管部材を管部材巻取装置から出すことを忘れた場合、管部材巻取装置を使用することができない。また、開始の牽引力を動力により得る場合、面積が大きな農地へ管部材を延ばすためには多方向へ設置する必要がある。そのため、その効果は理想的でなく、動力により引っ張ることは好ましくなかった。
【０００５】
さらに、特許文献２は、ラック上に設置された管部材巻取装置及び管部材案内装置により構成される。噴霧管が引っ張り出されると、噴霧管が管部材案内装置の位置規制ラック内に引っ張られるが、位置規制ラックの左右部及び前部に配置された車輪により、噴霧管をスムーズに引っ張り出す。
噴霧管を回収する際には、噴霧管を案内して駆動輪へ巻付けるとともに、押圧輪により押圧されて当接され、下方の従動輪へ向けて位置規制リング内へ巻付け、モータの作動によりベルトを介して変速機ケースを駆動させて駆動輪を回転させる。これによって、噴霧管が駆動輪と押圧輪との間に通され、押圧輪がスプリングの弾性力により下方へ押圧されて駆動輪が回転すると、噴霧管を後方へ送り出して収納することができる。
しかし、この種の構造を利用した場合、速やかに噴霧管を巻取ることができるが、以下（１）及び（２）の欠点を有する。
（１）大きなスプリングが有する大きめの弾性力により、押圧輪を駆動輪へ当接させて噴霧管を挟持するが、ブラケットが揺動する場合、大きめの力を加えてハンドルを操作しなければ緩めることができなかった。
（２）ブラケットを簡便に揺動させるためには、細めのスプリングを設置しなければならないが、その場合弾性力が小さく押圧輪を駆動輪へ当接させることができないことがあった。
【０００６】
そのため、上述の問題点を有さない管部材巻取装置が求められていた。
【先行技術文献】
【特許文献】
【０００７】
【特許文献１】台湾実用新案登録第３８４１８５号公報
【特許文献２】台湾実用新案登録第３４６４６１号公報
【考案の概要】
【考案が解決しようとする課題】
【０００８】
本考案の目的は、動力により対応した管部材を巻き取り、動力により管部材収納機構を駆動して製造の手間及び時間を減らす管部材巻取装置を提供することにある。
【課題を解決するための手段】
【０００９】
上記課題を解決するために、本考案の第１の形態によれば、ベース、固定部、動力群及び挟持群を備えた管部材巻取装置であって、前記固定部は、前記ベースの一端に設けられて被固定部に位置決めされ、前記動力群は、前記ベース上に配置されるとともに、主動輪を回転させ、前記挟持群は、前記ベースに枢着された支持杆を有し、前記支持杆上には、前記主動輪に対応した押圧輪が配置され、前記支持杆の他端には、スイングアームが延伸され、前記スイングアームの末端には、前記主動輪に対応するように管部材を導入する作動輪が配置されていることを特徴とする管部材巻取装置が提供される。
【００１０】
また、前記動力群には、減速機構が取り付けられていることが好ましい。
【００１１】
また、前記支持杆上には、弾性部材が設けられ、前記弾性部材の一端が前記ベースに固定されることが好ましい。
【考案の効果】
【００１２】
本考案の管部材巻取装置は、以下（１）及び（２）の効果を有する。
（１）動力を利用した管部材収納部材により、手間及び時間を減らすことができる。
（２）可動式の挟持群により、管部材巻取装置内へ対応させて組み合わせ、動力により管部材を便利に巻き付けることができる。
【図面の簡単な説明】
【００１３】
【図１】本考案の一実施形態に係る管部材巻取装置を示す斜視図である。
【図２】本考案の一実施形態に係る管部材巻取装置を示す正面図である。
【図３】本考案の一実施形態に係る管部材巻取装置を示す側面図である。
【図４】本考案の一実施形態に係る管部材巻取装置を示す使用図である。
【考案を実施するための形態】
【００１４】
以下、本考案の実施形態について図に基づいて説明する。なお、これによって本考案が限定されるものではない。
【００１５】
図１及び図２を参照する。図１は、本考案の一実施形態に係る管部材巻取装置を示す斜視図である。図２は、本考案の一実施形態に係る管部材巻取装置を示す正面図である。図１及び図２に示すように、本考案の一実施形態に係る管部材巻取装置は、少なくともベース１、固定部２、動力群３及び挟持群４から構成される。
【００１６】
固定部２は、ベース１の一端に配置され、被固定部Ａに位置決めされる。
【００１７】
動力群３は、ベース１上に配置され、減速機構３２により主動輪３１を回転させる。
【００１８】
挟持群４は、ベース１に枢着された支持杆４１を有する。支持杆４１上には、主動輪３１に対応した押圧輪４２が配置され、支持杆４１の他端には、スイングアーム４１０が延伸されている。スイングアーム４１０の末端には、主動輪３１に対応するように管部材Ｂを導入する作動輪４３が配置されている。
【００１９】
図１〜図４を参照する。図１〜図４に示すように、実際に組み立てる際、ベース１上の固定部２は、被固定部Ａ（車体）に対応して位置決めされる。管部材Ｂがユーザにより引っ張り出されて農薬の散布が完了した後、管部材Ｂを管部材巻取装置に巻き付けて巻取る。管部材Ｂを主動輪３１に巻付け、押圧輪４２及び作動輪４３をそれぞれ管部材Ｂに接触させる。
動力群３により主動輪３１を回転させ、主動輪３１の管部材Ｂに巻き付ける。管部材Ｂは、主動輪３１の回転に伴い、管部材Ｂの牽引力により、反対方向の力で作動輪４３が押圧されるとともに、管部材Ｂ内にある噴霧液の重さにより、主動輪３１が回転して管部材Ｂが引っ張られ、作動輪４３が外側に引っ張られる現象が発生する。
作動輪４３が主動輪３１から僅かに外れると、スイングアーム４１０は、ベース１に枢着された枢着点を中心に上方へ僅かに傾き、支持杆４１を下方へ押圧し、押圧輪４２は主動輪３１に対応した管部材Ｂを押圧し、管部材Ｂをスムーズに送り出す。管部材Ｂ自身の重量により、挟持群４中の押圧輪４２及び作動輪４３の主動輪３１に対する挟持力の大きさを調整する（即ち、管部材Ｂが重くて抵抗力が大きいとき、押圧輪４２は主動輪３１を強く押圧し、反対に、管部材Ｂが軽くて抵抗力が小さいとき、押圧輪４２は主動輪３１を弱く押圧して適宜な力で当接させる）。
【００２０】
また、支持杆４１上には、弾性部材５を設けてもよい。弾性部材５の一端は、ベース１上に対応して固定され、弾性部材５を利用して支持杆４１を牽引し、押圧輪４２を補助し、主動輪３１へ当接させて管部材Ｂを挟持し、管部材を収納してもよい。
【００２１】
巻き付けるとき、動力群３により主動輪３１を駆動させ、主動輪３１を減速機構３２により回転させ、押圧輪４２により管部材Ｂを主動輪３１に対応するように当接させて管部材Ｂを駆動させ、作動輪４３の端部から導入して巻取る。このように、管部材巻取装置は、使用後の管部材を巻取る際の手間及び時間を減らすことができる。
【００２２】
上述したことから分かるように、本考案の管部材巻取装置は、従来技術と比べて以下の（１）及び（２）の特長を有する。
（１）動力を利用した管部材収納部材により、手間及び時間を減らすことができる。
（２）可動式の挟持群により、管部材巻取装置内へ対応させて組み合わせ、動力により管部材を便利に巻き付けることができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。
従って、本考案の実用新案登録請求の範囲は、このような変更や修正を含めて広く解釈されるべきである。
【符号の説明】
【００２４】
１      ベース
２      固定部
３      動力群
４      挟持群
５      弾性部材
３１    主動輪
３２    減速機構
４１    支持杆
４２    押圧輪
４３    作動輪
４１０  スイングアーム
Ａ      被固定部
Ｂ      管部材
【図１】
0003182981.tif 000003
【図２】
0003182981.tif 000004
【図３】
0003182981.tif 000005
【図４】
0003182981.tif 000006